(57)【特許請求の範囲】
【請求項１】
室内壁（３）に固定される据付板（１）と、前記据付板に取り付けられる室内機（２）と、を有する空気調和機の室内機据付構造であって、
前記据付板は、前記室内機を係合させるための第１係合部（１１）と、前記室内機を取り付けるための第１取付穴（１２ｂ）と、を備え、
前記室内機は、
前記第１係合部に係合する第２係合部（２３ａ）と、前記第２係合部が前記第１係合部に係合した状態において前記第１取付穴に対向する位置に貫通する第２取付穴（２４ｂ）と、を有するフレーム（２１，２２）と、
前記第１取付穴と前記第２取付穴との双方に挿入される固定部（３１，４１）と、前記第２取付穴に対して前記固定部を外部から挿抜できるように前記フレームに形成された開口部（２１ａ）を閉口する蓋部（３２，４２）と、を有する取付部材（３０，４０）と、を備え、
前記取付部材は、前記固定部が前記第１取付穴及び前記第２取付穴に挿入されることにより前記蓋部で前記開口部を閉口可能となるように構成されていることを特徴とする室内機据付構造。
【請求項２】
前記固定部は、前記第１係合部と前記第２係合部との係合位置を支点とする前記フレームの揺動方向に対して傾いた状態で挿入されていることを特徴とする請求項１に記載の室内機据付構造。
【請求項３】
前記固定部は、前記揺動方向に対して直交するように挿入されていることを特徴とする請求項２に記載の室内機据付構造。
【請求項４】
前記固定部は、前記第１取付穴と前記第２取付穴との双方を貫通して挿入されており、
当該固定部の前記第１取付穴及び前記第２取付穴から抜き取られる方向への相対移動を拘束する抜け止め手段（４６ｃ）を有することを特徴とする請求項１乃至請求項３のいずれか一項に記載の室内機据付構造。
【請求項５】
前記抜け止め手段は、前記第１取付穴と前記第２取付穴との双方に挿入された前記固定部に形成され、前記第１取付穴及び前記第２取付穴の位置よりも挿入方向先端側において径方向外側に突出する突状部（４６ｃ）であることを特徴とする請求項４に記載の室内機据付構造。
【請求項６】
前記取付部材は、前記蓋部が前記固定部に対して揺動可能となるように当該蓋部と当該固定部とを連結する連結部（３３，４３）を有することを特徴とする請求項１乃至請求項５のいずれか一項に記載の室内機据付構造。
【発明の詳細な説明】
【技術分野】
【０００１】
本発明は、空気調和機の室内機を室内壁に据え付けるための室内機据付構造に関する。
【背景技術】
【０００２】
従来、空気調和機の室内機を室内壁に取り付けるための室内機据付構造として、特許文献１に記載されているものが知られている。この特許文献１に開示された室内機の据付構造においては、室内機のフレームの上部及び中央部に係合爪及び係合部材が設けられ、この係合爪及び係合部材が室内壁に固定された据付板のフックに掛けられている。また、当該フレームの下側を形成する底フレームが据付板の下側に位置する固定面に対して固定ネジにより固定されている。また、この固定ネジは、室内機の前面グリルにより覆われている。
このように、室内機の底フレームが据付板に固定ネジにより固定されることで、フレームの据付板に対する係合が外れることを防止できる。また、固定ネジが前面グリルで覆われているので、外観品位を損ねることはない。
【０００３】
【特許文献１】特開平８−１１４３５２号公報
【発明の開示】
【発明が解決しようとする課題】
【０００４】
しかしながら、特許文献１に記載の室内機の据付構造の構成によると、室内機の据付作業時において、室内機の底フレームを据付板に対して固定ネジで固定することを忘れた場合でも、固定ネジが取り付けられるべき部分が前面グリルで覆われてしまうので、固定ネジが取り付けられていないことを気づかずに放置される虞がある。この場合、例えば、地震等の振動により室内機が揺れたり、跳ね上がったりすることで、フレームと据付板との係合が外れてしまう虞がある。
【０００５】
そこで、本発明は、上記のような課題を解決するためになされたものであり、外観品位を損ねることなく室内機を安定して据え付けることをより確実に可能にする室内機据付構造を提供することを目的とする。
【課題を解決するための手段】
【０００６】
第１の発明の室内機据付構造は、室内壁に固定される据付板と、前記据付板に取り付けられる室内機と、を有する空気調和機の室内機据付構造であって、前記据付板は、前記室内機を係合させるための第１係合部と、前記室内機を取り付けるための第１取付穴と、を備え、前記室内機は、前記第１係合部に係合する第２係合部と、前記第２係合部が前記第１係合部に係合した状態において前記第１取付穴に対向する位置に貫通する第２取付穴と、を有するフレームと、前記第１取付穴と前記第２取付穴との双方に挿入される固定部と、前記第２取付穴に対して前記固定部を外部から挿抜できるように前記フレームに形成された開口部を閉口する蓋部と、を有する取付部材と、を備え、前記取付部材は、前記固定部が前記第１取付穴及び前記第２取付穴に挿入されることにより前記蓋部で前記開口部を閉口可能となるように構成されていることを特徴とする。
【０００７】
この室内機据付構造では、第１取付穴と第２取付穴とに挿入された固定部により、フレームの据付板に対する移動を拘束することができる。これにより、室内機のフレームと据付板との係合が外れにくくなり、室内機の据付状態が安定する。
また、外部から固定部を第１取付穴及び第２取付穴に挿入するための開口部は、蓋部により閉口されるため、外観品位を損ねることはない。
更に、固定部と蓋部とを有する取付部材は、固定部が第１取付穴と第２取付穴とに挿入されていない状態では、蓋部で開口部を閉口できないように構成されているので、固定部を第１取付穴及び第２取付穴に挿入することなく、蓋部により開口部が閉口されてしまうことを防止できる。その結果、固定部が挿入されていないことを気づかずに放置されることを防止できる。これにより、確実に室内機の据付状態の安定化を図ることができる。一方、取付部材が固定部と蓋部とを有するので、固定部を挿入した後、一連の流れで蓋部により開口部を閉口することができる。その結果、据付作業を効率的に行うことができるとともに、蓋部による開口部の閉じ忘れを防止できる。
【０００８】
第２の発明の室内機据付構造は、前記固定部は、前記第１係合部と前記第２係合部との係合位置を支点とする前記フレームの揺動方向に対して傾いた状態で挿入されていることを特徴とする。
【０００９】
この室内機据付構造では、固定部に第１取付穴の内周部が当接することにより、前記第１係合部と前記第２係合部との係合位置を支点とする前記フレームの揺動が拘束される。これにより、室内機の当該係合位置を支点とする揺動を抑えることができる。この場合、固定部の形状を複雑にすることなく、室内機の揺動を抑えることができる。
【００１０】
第３の発明の室内機据付構造は、前記固定部は、前記揺動方向に対して直交するように挿入されていることを特徴とする。
【００１１】
この室内機据付構造では、固定部に第１取付穴の内周部が固定部の挿入方向に対して直交する方向から当接することにより、前記第１係合部と前記第２係合部との係合位置を支点とする前記フレームの揺動が拘束される。これにより、室内機の当該係合位置を支点とする揺動を確実に抑えることができる。
【００１２】
第４の発明の室内機据付構造は、前記固定部は、前記第１取付穴と前記第２取付穴との双方を貫通して挿入されており、当該固定部の前記第１取付穴及び前記第２取付穴から抜き取られる方向への相対移動を拘束する抜け止め手段を有することを特徴とする。
【００１３】
この室内機据付構造では、抜け止め手段により、固定部の前記第１取付穴及び前記第２取付穴から抜き取られる方向への相対移動が拘束される。この場合、固定部の挿入方向と平行な方向への室内機の移動についても拘束することができる。
【００１４】
第５の発明の室内機据付構造は、前記抜け止め手段は、前記第１取付穴と前記第２取付穴との双方に挿入された前記固定部に形成され、前記第１取付穴及び前記第２取付穴の位置よりも挿入方向先端側において径方向外側に突出する突状部であることを特徴とする。
【００１５】
この室内機据付構造では、固定部に形成された突状部により固定部が第１取付穴及び第２取付穴から抜けることが防止される。この場合、簡易な構成で、固定部の挿入方向と平行な方向への室内機の移動についても拘束することができる。
【００１６】
第６の発明の室内機据付構造は、前記取付部材は、前記蓋部が前記固定部に対して揺動可能となるように当該蓋部と当該固定部とを連結する連結部を有することを特徴とする。
【００１７】
この室内機据付構造では、固定部を第１取付穴及び第２取付穴に挿入した後、蓋部を揺動させて開口部を閉口することが可能になる。この場合、固定部を挿入する際に邪魔にならない適宜位置に蓋部を揺動させることができる。これにより、固定部の挿入作業が容易になる。例えば、蓋部を開口部を覆うため所定位置から揺動させてずらすことで、固定部の位置確認が容易になる。
【発明の効果】
【００１８】
以上の説明に述べたように、本発明によれば、以下の効果が得られる。
【００１９】
第１の発明では、固定部により、室内機のフレームと据付板との係合が外れにくくなり、室内機の据付状態が安定する。また、開口部は、蓋部により閉口されるため、外観品位を損ねることはない。また、固定部が挿入されていないことを気づかずに放置されることを防止できる。また、蓋部による開口部の閉じ忘れを防止できる。
【００２０】
また、第２の発明及び第３の発明では、固定部の形状を複雑にすることなく、室内機の揺動を抑えることができる。
【００２１】
また、第４の発明及び第５の発明では、固定部の挿入方向と平行な方向への室内機の移動についても拘束することができる。
【００２２】
また、第６の発明では、固定部を挿入する際に邪魔にならない適宜位置に蓋部を揺動させることができるので、固定部の挿入作業が容易になる。
【発明を実施するための最良の形態】
【００２３】
以下、図面に基づいて、本発明に係る室内機据付構造の実施形態について説明する。
【００２４】
（第１実施形態）
図１は、本発明の第１実施形態に係る室内機据付構造の断面模式図である。図２は、図１における室内機を下方から見た図である。尚、図１は、図２におけるＡ−Ａ断面の主要部を模式的に示す図である。尚、図１及び図２おいて、室内機の下端部を据付板に固定するための取付部材については、他の図において詳述するため省略する。
【００２５】
図１に示すように、第１実施形態の室内機据付構造１００は、据付板１と室内機２とを有する空気調和機の室内機据付構造である。
【００２６】
据付板１は、図示しないネジ等の取付部材を用いて室内壁３に固定されている。据付板１は、上端近傍位置において室内機２を係合させるための第１係合部１１と、下端近傍位置において室内機２を取り付けるための第１取付穴１２ｂと、を備えている。
【００２７】
第１係合部１１は、据付板１の上端近傍部から室内側へ突出するように形成され、室内側の端部を上方に屈曲させた鉤状に形成されている。当該第１係合部１１は、室内機２の長手方向（図１における紙面垂直方向）において所定の幅を有する板状に構成されている。また、当該第１係合部１１は、室内機２の長手方向において複数設けられており、室内機２の荷重を支持可能な強度となるように形成されている。
【００２８】
据付板１は、下部において、室内壁３から突出するように屈曲した屈曲部１２を有している。当該屈曲部１２には室内側の斜め下方を向く面を有する取付部分１２ａを有する。当該取付部分１２ａに第１取付穴１２ｂが貫通している。
【００２９】
室内機２は、室内壁３に固定された据付板１に対して取り付けられており、図示しない冷媒配管等により屋外に設けられた室外機と連結されて空気調和機の一部を構成している。また、室内機２は、前面を覆うフロントグリル２１（フレーム）と、当該フロントグリル２１が取り付けられるとともに図示しない熱交換器、ファン、ドレインパン等が固定される基礎フレーム２２（フレーム）と、を有している。基礎フレーム２２は、上側において室内壁３に対して略垂直な方向に延びる天井フレーム２３と、下側において部分的に屈曲して形成された底フレーム２４と、を有している。
【００３０】
天井フレーム２３の据付板１側の端部には下方に向かって突出するように第２係合部２３ａが設けられる。当該第２係合部２３ａは、第１係合部１１に上方から引っ掛けられ、据付板１から離れる方向への移動を当該第１係合部１１により拘束される。尚、基礎フレーム２２の下端部は、据付板１の取付部分１２ａの下方に回り込むように配置されるため、当該基礎フレーム２２の上方への移動は、据付板１の取付部分１２ａに底フレーム２４の取付部分２４ａが当接することにより拘束される。
【００３１】
また、底フレーム２４は、当該第２係合部２３ａが第１係合部１１に係合した状態において、据付板１の取付部分１２ａと対向して略平行に配置される取付部分２４ａを有している。そして、当該取付部分２４ａにおいて、第１取付穴１２ｂに対向する位置に第２取付穴２４ｂが貫通している。
【００３２】
フロントグリル２１は、天井フレーム２３及び底フレーム２４を外側から覆うように設置される。そして、図１及び図２に示すように、当該フロントグリル２１には、底フレーム２４の第２取付穴２４ｂに対応する位置において略矩形状の開口部２１ａが形成されている。尚、開口部２１ａは、後述するように、第２取付穴２４ｂに対して、取付部材３０のピン部３１を外部から挿抜できるようにフロントグリル２１に形成されている。
【００３３】
図３は、図２におけるＡ−Ａ断面の斜視図であり、室内機据付構造における下端部の室内壁３側のみを拡大して示す図である。この図においては、取付部材３０により底フレーム２４と据付板１とが固定された状態が示されている。図４（ａ）は、当該取付部材３０の平面図である。また、図４（ｂ）は、図４（ａ）におけるＢ方向矢視図である。また、図４（ｃ）は、図４（ａ）におけるＣ−Ｃ断面矢視図である。
【００３４】
図３及び図４に示すように、取付部材３０は、ピン部３１（固定部）と、蓋部３２と、ピン部３１と蓋部３２とを連結する連結部３３とが一体的に形成されたものである。
【００３５】
ピン部３１は、円柱状に形成され、第１取付穴１２ｂと第２取付穴２４ｂとの双方に挿入されている。尚、ピン部３１は、取付作業者によりフロントグリル２１の外側から、開口部２１ａを介して第１取付穴１２ｂ及び第２取付穴２４ｂに挿入されたものである。
【００３６】
図１に示すように、基礎フレーム２２は、第２係合部２３ａを据付板１の上端側に位置する第１係合部１１に上方から引っ掛けられることにより、第１係合部１１により支持されている。そのため、基礎フレーム２２が下端側において据付板１等に固定されない場合は、室内機２が、第１係合部１１と第２係合部２３ａとの係合位置Ｐ（第１係合部１１と第２係合部２３ａとが当接する位置）を支点として、下端側を室内壁３から離隔させるように揺動する可能性がある（図１において揺動方向を矢印Ｘで示す）。ピン部３１は、当該基礎フレーム２２の揺動方向に対して傾いた状態で、第１取付穴１２ｂと第２取付穴２４ｂとに挿入されている（図１においてピン部３１の挿入方向を矢印Ｙで示す）。即ち、基礎フレーム２２が揺動するときに第２取付穴２４ｂが描く円弧の接線（図１において一点鎖線Ｚで示す）に対して、ピン部３１の挿入方向が傾くように、当該ピン部３１が第１取付穴１２ｂと第２取付穴２４ｂとに挿入されている。これにより、揺動時において、第１取付穴１２ｂの内周部にピン部３１が当接する位置で基礎フレーム２２の据付板１に対する揺動が拘束される。
【００３７】
尚、底フレーム２４の取付部分２４ａと、据付板１の取付部分１２ａとの角度を調整して、前記ピン部３１の挿入方向が揺動方向Ｘに対して直交するように、即ち、接線Ｚに対して直交するように構成してもよい。この場合、当該基礎フレーム２２の揺動を拘束することができ、取付穴１２ｂ，２４ｂとピン部３１との隙間により許容されてしまう基礎フレーム２２の揺動幅を小さくすることができる。
【００３８】
図４に示すように、蓋部３２は、フロントグリル２１の開口部２１ａに対応する略矩形状の板状部材３２ａと、当該板状部材３２ａをフロントグリル２１の開口部２１ａに嵌め込んで固定するための一対の係合爪部３２ｂとを有している。そして、蓋部３２は、図３に示すように、フロントグリル２１の開口部２１ａに嵌め込まれて、当該開口部２１ａを閉口している。尚、一対の係合爪部３２ｂが開口部２１ａの周縁部に係合することにより、蓋部３２が開口部２１ａから抜けることが防止される。また、開口部２１ａに蓋部３２が嵌め込まれた状態においては、蓋部３２の外表面と、開口部２１ａの周囲におけるフロントグリル２１の外表面とが略同一平面状となる。そのため、外観において蓋部３２が目立ちにくく、室内機２の外観品位を損ねることはない。
【００３９】
図４に示すように、連結部３３は、ピン部３１の基端が固定されるピン固定基板３３ａと、当該ピン固定基板３３ａと蓋部３２を連結するヒンジ部３３ｂとを有する。
ヒンジ部３３ｂは、ピン固定基板３３ａに比べて薄肉のシート状に形成されている。そして、ヒンジ部３３ｂを曲げ変形させながら、ピン固定基板３３ａを蓋部３２側に折り畳むことが可能である。即ち、当該ヒンジ部３３ｂの変形により、ピン部３１に対して、蓋部３２が揺動可能に構成されている。
【００４０】
ピン部３１は、蓋部３２を開口部２１ａに嵌め込んだ状態では、開口部２１ａと底フレーム２４とに挟まれる空間に収容できない長さとなるように形成されている。つまり、蓋部３２を開口部２１ａに嵌め込むためには、ピン部３１を第１取付穴１２ｂ及び第２取付穴２４ｂに挿入することが必要となる。即ち、取付部材３０は、ピン部３１が第１取付穴１２ｂ及び第２取付穴２４ｂに挿入されることにより蓋部３２で開口部２１ａを閉口可能となるように構成されている。
【００４１】
このように取付部材３０が構成されることにより、据付作業者が第１取付穴１２ｂと第２取付穴２４ｂとにピン部３１を挿入し忘れた状態で、蓋部３２により開口部２１ａを閉じてしまうことを防止することができる。また、ピン部３１と蓋部３２とが一体的に形成されているので、ピン部３１を挿入した後、開口部２１ａを蓋部３２で閉じることを忘れにくい。これにより、据付作業を確実に行うことができる。
【００４２】
以上説明したように、第１実施形態に係る室内機据付構造は、室内壁３に固定される据付板１と、据付板１に取り付けられる室内機２と、を有する。
据付板１は、室内機２を係合させるための第１係合部１１と、室内機２を取り付けるための第１取付穴１２ｂと、を備えている。
室内機２は、フロントグリル２１と、基礎フレーム２２と、取付部材３０と、を備えている。
基礎フレーム２２は、第１係合部１１に係合する第２係合部２３ａと、第２係合部２３ａが第１係合部１１に係合した状態において第１取付穴１２ｂに対向する位置に貫通する第２取付穴２４ｂと、を有する。
取付部材３０は、第１取付穴１２ｂと第２取付穴２４ｂとの双方に挿入されるピン部３１と、第２取付穴２４ｂに対してピン部３１を外部から挿抜できるようにフロントグリル２１に形成された開口部２１ａを閉口する蓋部３２と、を有する。
また、取付部材３０は、ピン部３１が第１取付穴１２ｂ及び第２取付穴２４ｂに挿入されることにより蓋部３２で開口部２１ａを閉口可能となるように構成されている。
【００４３】
この構成によると、第１取付穴１２ｂと第２取付穴２４ｂとに挿入されたピン部３１により、基礎フレーム２２の据付板１に対する移動を拘束することができる。これにより、室内機２の基礎フレーム２２と据付板１との係合が外れにくくなり、室内機２の据付状態が安定し、耐震強度を向上させることができる。
また、外部からピン部３１を第１取付穴１２ｂ及び第２取付穴２４ｂに挿入するための開口部２１ａは、蓋部３２により閉口されるため、外観品位を損ねることはない。
更に、ピン部３１と蓋部３２とを有する取付部材３０は、ピン部３１が第１取付穴１２ｂと第２取付穴２４ｂとに挿入されていない状態では、蓋部３２で開口部２１ａを閉口できないように構成されているので、ピン部３１を第１取付穴１２ｂ及び第２取付穴２４ｂに挿入することなく、蓋部３２により開口部２１ａが閉口されてしまうことを防止できる。その結果、ピン部３１が挿入されていないことを気づかずに放置されることを防止できる。これにより、確実に室内機２の据付状態の安定化を図ることができる。一方、取付部材３０がピン部３１と蓋部３２とを有するので、ピン部３１を挿入した後、一連の流れで蓋部３２により開口部２１ａを閉口することができる。その結果、据付作業を効率的に行うことができるとともに、蓋部３２による開口部２１ａの閉じ忘れを防止できる。
【００４４】
また、ピン部３１は、第１係合部１１と第２係合部２３ａとの係合位置を支点とする基礎フレーム２２の揺動方向に対して傾いた状態で挿入されている。
【００４５】
この構成によると、ピン部３１に第１取付穴１２ｂの内周部が当接することにより、第１係合部１１と第２係合部２３ａとの係合位置を支点とする基礎フレーム２２の揺動が拘束される。これにより、室内機２の当該係合位置を支点とする揺動を抑えることができる。この場合、ピン部３１の形状を複雑にすることなく、室内機２の揺動を抑えることができる。
【００４６】
尚、ピン部３１を、揺動方向に対して直交するように挿入する構成としてもよい。
【００４７】
この構成によると、ピン部３１に第１取付穴１２ｂの内周部がピン部３１の挿入方向に対して直交する方向から当接することにより、第１係合部１１と第２係合部２３ａとの係合位置を支点とする基礎フレーム２２の揺動が拘束される。これにより、室内機２の当該係合位置を支点とする揺動を確実に抑えることができる。
【００４８】
尚、ピン部３１が、揺動方向に沿った方向（揺動時にピン部３１が描く円弧の接線方向）と平行に配置されている場合は、揺動方向から傾いた方向への室内機２の移動が拘束される。
【００４９】
また、取付部材３０は、蓋部３２がピン部３１に対して揺動可能となるように蓋部３２とピン部３１とを連結する連結部３３を有する。
【００５０】
この構成によると、ピン部３１を第１取付穴１２ｂ及び第２取付穴２４ｂに挿入した後、蓋部３２を揺動させて開口部２１ａを閉口することが可能になる。この場合、ピン部３１を挿入する際に邪魔にならない適宜位置に蓋部３２を揺動させることができる。これにより、ピン部３１の挿入作業が容易になる。例えば、蓋部３２を開口部２１ａを覆うため所定位置から揺動させてずらすことで、ピン部３１の位置確認が容易になる。
【００５１】
尚、取付部材３０が連結部３３を有する場合に限らず、蓋部３２に直接、ピン部３１を固定した取付部材としてもよい。この場合、取付部材が簡易な構成となるため、取付部材の製造コストを削減することができる。
【００５２】
また、ピン部３１を長手方向において同じ外径となるように構成する場合に限られない。例えば、ピン部３１における、第１取付穴１２ｂ及び第２取付穴２４ｂの位置よりも挿入方向先端側において径方向外側に突出する突状部を形成してもよい。  
【００５３】
具体的には、ピン部３１の軸方向先端側に、挿入する際には第１取付穴１２ｂ及び第２取付穴２４ｂの縁部に当接して縮径するように変形し、抜き取る際には第１取付穴１２ｂ及び第２取付穴２４ｂの縁部に引っ掛かって抜き取り方向へのピン部３１の移動を拘束するような径方向外側に突出する突状部を一体的に形成してもよい。尚、突状部は、当該ピン部３１が第１取付穴１２ｂ及び第２取付穴２４ｂに挿入されたときに、当該第１取付穴１２ｂ及び第２取付穴２４ｂの位置よりも挿入方向先端側となる位置に形成する。
【００５４】
この構成によると、ピン部３１に形成された突状部によりピン部３１が第１取付穴１２ｂ及び第２取付穴２４ｂから抜けることが防止される。この場合、簡易な構成で、ピン部３１の挿入方向と平行な方向への室内機２の移動についても拘束することができる。例えば、室内機２の揺動方向と軸部４６の挿入方向とが平行であっても、当該室内機２の揺動を拘束することが可能になる。
【００５５】
また、ピン部３１に突状部を形成する場合に限らず、例えば、ピン部３１を第１取付穴１２ｂ及び第２取付穴２４ｂに挿入後、当該第１取付穴１２ｂ及び第２取付穴２４ｂの位置よりも挿入方向先端側となる位置に第１取付穴１２ｂの内径よりも大きく当該第１取付穴１２ｂを通過しない部材（抜け止め手段）を別途取り付けることで、当該ピン部３１の抜けを防止することも可能である。
【００５６】
（第２実施形態）
図５は、第２実施形態に係る室内機据付構造の下端部室内壁側の断面斜視図である。この図は、第１実施形態の説明で用いた図３に相当する断面斜視図である。また、図６は、第２実施形態に係る取付部材４０の、第１実施形態の説明で用いた図４（ｃ）に相当する断面図である。
第２実施形態に係る室内機据付構造は、取付部材の構成が異なる点で第１実施形態に係る室内機据付構造と異なる。第１実施形態と同一部材には同一符号を付して説明を省略する。
【００５７】
図５及び図６に示すように、第２実施形態に係る取付部材４０は、プッシュターンリベット４１（固定部）と、蓋部４２と、プッシュターンリベット４１と蓋部４２とを連結する連結部４３と、を有する。
【００５８】
図６に示すように、プッシュターンリベット４１は、グロメット部４４と、ピン４５とからなる。グロメット部４４は、円筒状の軸部４６と、軸部４６の端部において当該軸部４６よりも拡径したヘッド部４７とを有している。円筒状の軸部４６は、当該軸部４６の長手方向において複数のスリット４６ａが形成されている。また、軸部４６の先端部において、円筒孔径がヘッド部４７側に比べて小さくなるように形成された窄み部４６ｂを有している。
【００５９】
ピン４５は、グロメット部４４の軸部４６に挿入される軸部４８と、当該軸部４８の端部において当該軸部４８よりも拡径したヘッド部４９とからなる。軸部４８の先端には部分的に縮径した縮径部４８ａが形成されている。また、ヘッド部４９の端面には、ドライバー等により軸回りに回転することができるように十字溝が形成されている。
【００６０】
そして、グロメット部４４の軸部４６における窄み部４６ｂが、ピン４５の軸部４８における縮径部４８ａに嵌っている状態（図６に示す状態）から、ピン４５のヘッド部４９がグロメット部４４側に押し込まれることにより、グロメット部４４の軸部４６の先端側が拡径するように構成されている（後述する図７参照）。
【００６１】
連結部４３の固定基板４３ａには貫通孔４３ｃが形成されており、当該貫通孔４３ｃにグロメット部４４の軸部４６を貫通させた状態で、グロメット部４４のヘッド部４７が当該固定基板４３ａに対して固定されている。当該固定基板４３ａは、ヒンジ部４３ｂを介して蓋部４２と一体的に連結されている。
【００６２】
尚、貫通孔４３ｃを長孔として形成して、当該長孔にグロメット部４４の軸部４６を挿入して、当該長孔の長手方向においてスライド移動可能となるように、グロメット部４４を固定基板４３ａに取り付けてもよい。この場合、グロメット部４４の軸部４６を第１取付穴１２ｂ及び第２取付穴２４ｂに挿入する際の位置合わせが容易になる。
【００６３】
また、グロメット部４４、連結部４３、及び蓋部４２を一体成型により形成することもできる。この場合、グロメット部４４を連結部４３に取り付ける手間を省くことができる。
【００６４】
また、グロメット部４４が固定基板４３ａに固定される場合に限らず、直接、ヒンジ部４３ｂに対して固定されていてもよい。第１取付穴１２ｂ及び第２取付穴２４ｂに挿入可能なグロメット部４４の軸部４６の長さをより長くすることができる。
【００６５】
図７は、プッシュターンリベット４１により据付板１と底フレーム２４とを固定するときの状態を模式的に示す図６に対応する取付部材４０の断面図である。
図５及び図７に示すように、プッシュターンリベット４１は、グロメット部４４の軸部４６が第１取付穴１２ｂと第２取付穴２４ｂとに挿入された状態でピン４５が押し込まれることにより軸部４６の先端側が変形してなる拡径部４６ｃと、ヘッド部４７とで据付板１と底フレーム２４とを挟みこんで、当該据付板１と底フレーム２４とを固定している。
【００６６】
尚、プッシュターンリベット４１は、蓋部４２を開口部２１ａに嵌め込んだ状態で、開口部２１ａと底フレーム２４とに挟まれる空間に収容できないように、連結部４３に対して固定されている。つまり、蓋部４２を開口部２１ａに嵌め込むためには、プッシュターンリベット４１の軸部４６を第１取付穴１２ｂ及び第２取付穴２４ｂに挿入することが必要となる。即ち、取付部材４０は、プッシュターンリベット４１が第１取付穴１２ｂ及び第２取付穴２４ｂに挿入されることにより蓋部４２で開口部２１ａを閉口可能となるように構成されている。
【００６７】
また、プッシュターンリベット４１のピン４５を押し込むことにより、軸部４６における第１取付穴１２ｂ及び第２取付穴２４ｂの位置よりも挿入方向先端側において径方向外側に突出する拡径部４６ｃ（突状部）が形成されるため、当該軸部４６の第１取付穴１２ｂ及び第２取付穴２４ｂから抜き取られる方向への相対移動が拘束される。
【００６８】
また、プッシュターンリベット４１は、ピン４５を軸回りに回転させることで、当該ピン４５がグロメット部４４から引き出されるように構成されている。これにより、軸部４６の拡径部４６ｃが、ピン４５が押し込まれる前の状態（図６に示す状態）に変形するため、軸部４６を第１取付穴１２ｂ及び第２取付穴２４ｂから抜き取ることができる。
【００６９】
以上説明したように、第２実施形態に係る室内機据付構造においては、取付部材４０はプッシュターンリベット４１を有する。そして、プッシュターンリベット４１の軸部４６は、第１取付穴１２ｂと第２取付穴２４ｂとの双方を貫通して挿入されており、軸部４６の第１取付穴１２ｂ及び第２取付穴２４ｂから抜き取られる方向への相対移動を拘束する拡径部４６ｃを有する。
【００７０】
この室内機据付構造では、プッシュターンリベット４１の軸部４６に形成される拡径部４６ｃにより、軸部４６の第１取付穴１２ｂ及び第２取付穴２４ｂから抜き取られる方向への相対移動が拘束される。この場合、軸部４６の挿入方向と平行な方向への室内機２の移動についても拘束することができる。例えば、室内機２の揺動方向と軸部４６の挿入方向が平行であっても、当該室内機２の揺動を拘束することが可能になる。
【００７１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００７２】
例えば、上述の第２実施形態では、プッシュターンリベット４１の拡径部４６ｃによって、軸部４６の第１取付穴１２ｂ及び第２取付穴２４ｂから抜き取られる方向への相対移動が拘束されるが、第１取付穴１２ｂ及び第２取付穴２４ｂの内周面にメネジが形成されており、オネジが外周面に形成された固定部を有するビスでネジ締めされることによって、固定部の第１取付穴１２ｂ及び第２取付穴２４ｂから抜き取られる方向への相対移動が拘束されてもよい。
【産業上の利用可能性】
【００７３】
本発明を利用すれば、外観品位を損ねることなく室内機を安定して据え付けることをより確実にできる。
【図面の簡単な説明】
【００７４】
【図１】本発明の第１実施形態に係る室内機据付構造の断面模式図である。
【図２】図１における室内機を下方から見た図である。
【図３】図２におけるＡ−Ａ断面の斜視図であり、室内機据付構造の下端部室内壁側の拡大図である。
【図４】取付部材の詳細を示す図であり、（ａ）は、平面図であり、（ｂ）は、（ａ）におけるＢ方向矢視図であり、（ｃ）は、（ａ）におけるＣ−Ｃ断面矢視図である。
【図５】第２実施形態に係る室内機据付構造の下端部室内壁側の断面斜視図である。
【図６】第２実施形態に係る取付部材の断面図である。
【図７】プッシュターンリベットにより据付板と底フレームとが固定された状態の取付部材の断面図である。
【符号の説明】
【００７５】
１  据付板
２  室内機
３  室内壁
１１  第１係合部
１２  屈曲部
１２ａ  取付部分
１２ｂ  第１取付穴
２１  フロントグリル（フレーム）
２１ａ  開口部
２２  基礎フレーム（フレーム）
２３  天井フレーム
２３ａ  第２係合部
２４  底フレーム
２４ａ  取付部分
２４ｂ  第２取付穴
３０  取付部材
３１  ピン部（固定部）
３２  蓋部
３３  連結部
４０  取付部材
４１  プッシュターンリベット
４２  蓋部
４３  連結部
４６ｃ  拡径部（突状部、抜け止め手段）
【図１】
0004941455.tif 000002
【図２】
0004941455.tif 000003
【図３】
0004941455.tif 000004
【図４】
0004941455.tif 000005
【図５】
0004941455.tif 000006
【図６】
0004941455.tif 000007
【図７】
0004941455.tif 000008